(57)【要約】【課題】来訪者が集合玄関機のカメラを隠して呼出ボタンを押す不正操作を検出し、このときの居住者の呼び出しを無効にして、不審者に居室の留守を確認させない。【解決手段】集合住宅用のインターホンシステムにおいて、集合玄関機２は、来訪者が集合玄関機２のカメラ２３を遮蔽した状態で呼出ボタン２５を押す操作を不正操作として検出する不正操作検出部２８を備える。また、制御機４は、不正操作が検出されたときに不正対策処理を実行する不正対策処理部４３とを備える。不正対策処理部４３は、不正操作によって発生した呼出信号を集合玄関機２から管理室親機５に転送し、来訪者への警告メッセージを玄関機モニタ２１に表示させる。【選択図】図２
2018085588.tif 000002
【特許請求の範囲】
【請求項１】
集合住宅用のインターホンシステムであって、
来訪者を撮影するカメラおよび来訪者が居住者を呼び出す呼出ボタンを備えた集合玄関機と、前記集合玄関機からの呼び出しに応答する居室親機と、管理室に設置された管理室親機と、来訪者が前記集合玄関機のカメラを遮蔽した状態で呼出ボタンを押す操作を不正操作として検出する不正操作検出手段と、前記不正操作が検出されたときに不正対策処理を実行する制御手段とを備え、
前記不正対策処理が、来訪者の前記不正操作によって発生した呼出信号を集合玄関機から管理室親機に転送する処理を含むことを特徴とするインターホンシステム。
【請求項２】
前記集合玄関機がモニタを備え、前記不正対策処理が来訪者への警告メッセージを前記モニタに表示させる処理を含む請求項１に記載のインターホンシステム。
【請求項３】
前記集合住宅のエントランス内を撮影するエントランスカメラを備え、前記不正対策処理が、前記エントランスカメラによって撮影された映像を前記管理室親機に録画させる処理を含む請求項１または２に記載のインターホンシステム。
【請求項４】
前記集合玄関機が、前記居室親機との通話を終了するために来訪者が操作する終話ボタンを備え、前記不正対策処理が、来訪者により前記終話ボタンが操作された後に前記集合玄関機のカメラによって撮影された映像を前記管理室親機に録画させる処理を含む請求項１〜３のいずれかに記載のインターホンシステム。
【請求項５】
前記不正操作検出手段が、前記集合玄関機のカメラによって撮影された映像データの単位時間当たりの変化量またはカメラパラメータの変化量に基づいて、来訪者の前記不正操作を検出する請求項１〜４のいずれかに記載のインターホンシステム。
【発明の詳細な説明】
【技術分野】
【０００１】
本発明は、集合住宅用のインターホンシステムに関し、特に、居住者の留守を確認する目的で、来訪者が集合玄関機のカメラを隠した状態で呼出ボタンを押す不正操作に対処するための保安機能を備えたインターホンシステムに関する。
【背景技術】
【０００２】
従来、集合玄関機のカメラが撮影した来訪者の映像を居住者が居室親機のモニタで確認し、不審者への応対を警備会社に委託する機能を備えた集合住宅用のインターホンシステムが知られている（例えば特許文献１）。
【０００３】
しかし、このインターホンシステムによると、来訪者が集合玄関機のカメラレンズを手などで隠して呼び出した場合に、居住者は来訪者の姿や様子を確認することができない。そこで、特許文献２では、玄関子機のカメラが手などで覆い隠されていた場合に、障害物を取り除くように子機スピーカに警告メッセージを発生させる戸建住宅用のインターホンシステムが提案されている。
【先行技術文献】
【特許文献】
【０００４】
【特許文献１】特許第４５７８９５３号公報
【特許文献２】特開２００９−２３９７０７号公報
【発明の概要】
【発明が解決しようとする課題】
【０００５】
特許文献２のインターホンシステムによれば、来訪者の不正操作に応答して警告メッセージが自動的に発生するので、居住者は不愉快な応答をする必要がなくなる。ところが、居住者が応答しないと、来訪者はこの住宅が留守であると勘違いするおそれがある。勘違いで済めばよいが、仮に来訪者が留守を確認する目的で呼び出した場合は、その空き巣狙いの不審者が居室内で居住者と遭遇する可能性がある。
【０００６】
そこで、本発明の目的は、不正操作による居住者の呼び出しを無効にし、不審者に留守確認をさせない集合住宅用インターホンシステムを提供することにある。
【課題を解決するための手段】
【０００７】
上記課題を解決するために、本発明は次のような手段を提供する。
【０００８】
（１）集合住宅用のインターホンシステムであって、来訪者を撮影するカメラおよび来訪者が居住者を呼び出す呼出ボタンを備えた集合玄関機と、集合玄関機からの呼び出しに応答する居室親機と、管理室に設置された管理室親機と、来訪者が集合玄関機のカメラのレンズを遮蔽した状態で呼出ボタンを押す操作を不正操作として検出する不正操作検出手段と、不正操作が検出されたときに不正対策処理を行う制御手段とを備え、不正対策処理が来訪者の不正操作によって発生した呼出信号を集合玄関機から管理室親機に転送する処理を含むことを特徴とするインターホンシステム。
【０００９】
（２）集合玄関機がモニタを備え、不正対策処理が来訪者への警告メッセージをモニタに表示させる処理を含む（１）に記載のインターホンシステム。
【００１０】
（３）集合住宅のエントランス内を撮影するエントランスカメラを備え、不正対策処理がエントランスカメラによって撮影された映像を管理室親機に録画させる処理を含む（１）または（２）に記載のインターホンシステム。
【００１１】
（４）集合玄関機が、居室親機との通話を終了するために来訪者が操作する終話ボタンを備え、不正対策処理が、来訪者により終話ボタンが操作された後に集合玄関機のカメラによって撮影された映像を管理室親機に録画させる処理を含む（１）〜（３）のいずれかに記載のインターホンシステム。
【００１２】
（５）不正操作検出手段が、集合玄関機のカメラによって撮影された映像データの単位時間当たりの変化量またはカメラパラメータの変化量に基づいて、来訪者の不正操作を検出する（１）〜（４）のいずれかに記載のインターホンシステム。
【発明の効果】
【００１３】
本発明の集合住宅用インターホンシステムは、来訪者がカメラを遮蔽した状態で呼出ボタンを押した場合に、その不正操作を検出し、呼出信号を集合玄関機から管理室親機に転送するように動作する。このため、不正操作による居住者の呼び出しを無効にして、不審者に居室の留守を確認させないという効果がある。
【図面の簡単な説明】
【００１４】
【図１】本発明の一実施形態を示す集合住宅用インターホンシステムのシステム図である。
【図２】図１の集合住宅用インターホンシステムの構成を示すブロック図である。
【図３】玄関機モニタに表示される警告メッセージの一例を示す模式図である。
【図４】管理室親機に録画されるエントランスカメラの映像を示す模式図である。
【図５】管理室親機に録画される玄関機カメラの映像を示す模式図である。
【発明を実施するための形態】
【００１５】
以下、本発明を集合住宅用インターホンシステムに具体化した一実施形態を図面に基づいて説明する。図１に示すように、この実施形態の集合住宅用インターホンシステム１は、集合住宅のエントランスＥ内に設置された集合玄関機２と、エントランスＥ内を撮影するエントランスカメラ３と、管理室に設置された管理室親機５と、集合玄関機２からの呼び出しに応答する居室親機６と、集合玄関機２からの呼出信号を居室親機６または管理室親機５に中継する制御機４とから構成されている。
【００１６】
図２に示すように、集合玄関機２は、来訪者へ各種のメッセージを表示するモニタ２１と、マイクおよびスピーカーからなる通話部２２と、来訪者を撮影するカメラ２３と、来訪者が居住者を呼び出す呼出ボタン２５と、居室親機６との通話を終了するために来訪者が操作する終話ボタン２６と、集合玄関機２の動作を制御するＣＰＵ２４と、通信インターフェース２７とが設けられている。ＣＰＵ２４には、来訪者が集合玄関機２のカメラ２３のレンズを遮蔽した状態で呼出ボタン２５を押す操作を不正操作として検出する不正操作検出部２８が設けられている。
【００１７】
制御機４には、ＣＰＵ４１と通信インターフェース４４が設けられている。制御手段としてのＣＰＵ４１には、集合玄関機２において不正操作が検出された場合に、所定の不正対策処理を実行する不正対策処理部４３とが設けられている。そして、ＣＰＵ４１は、正規操作により発生した呼出信号を集合玄関機２から居室親機６または管理室親機５に中継する通常処理を実行するとともに、不正操作により発生した呼出信号を集合玄関機２から管理室親機５のみに転送する不正対策処理を実行するように構成されている。
【００１８】
管理室親機５には、エントランスカメラ３または玄関機カメラ２３が撮影した映像を表示するモニタ５１と、マイクおよびスピーカーからなる通話部５２と、カメラ３，２３の映像を録画する不揮発性メモリ５４と、管理室親機５の動作を制御するＣＰＵ５３と、通信インターフェース５５とが設けられている。そして、来訪者による不正操作に対処するために、管理室親機５のＣＰＵ５３は、制御機ＣＰＵ４１からの指令に従って、エントランスカメラ３および玄関機カメラ３が撮影した映像を不揮発性メモリ５４に録画するための制御を行うようになっている。
【００１９】
上記構成の集合住宅用インターホンシステム１において、次に、留守確認を目的とする来訪者の不正操作に対処するための処理について説明する。集合玄関機２のカメラ２３は、常時または間欠的に、あるいはエントランスＥ内に設置された人感センサ（図示略）が人を検知した時に撮影動作を開始する。
【００２０】
カメラ２３が撮影した映像が玄関機ＣＰＵ２４に入力されると、不正操作検出部２８が映像データの単位時間当たりの変化量に基づいて、来訪者の不正操作を検出する。このとき、不正操作検出部２８は、画像認識技術を用いて、例えば、玄関機カメラ２３が撮影した映像の背景差分やフレーム間差分を取り、映像全体の変化量や、カメラ２３のアイリス、ゲイン等のパラメータの変化量を算出する。そして、変化量が所定の閾値を超えていた場合に、カメラ２３が遮蔽状態となった、または遮蔽状態でなくなったと判断する。カメラ２３が遮蔽状態になると、不正操作検出部２８は、タイマにより時間計測を行い、所定時間が経過する前であって、呼出ボタン２５が押下された時点で来訪者による不正操作を検出する。不正操作が検出されると、不正操作検出部２８は検出信号を生成し、玄関機ＣＰＵ２４は、呼出信号および検出信号を制御機４へ送信する。
【００２１】
呼出信号および検出信号を受信した制御機４のＣＰＵ４１の不正対策処理部４では、呼出ボタン２５の操作により発生した呼出信号を玄関機２から管理室親機５へ転送するための不正対策処理を実行する。そして、呼出信号に応答し、管理室親機５のＣＰＵ５３が通話部５２のスピーカに管理人を呼び出すための呼出音を発生させるとともに、管理室モニタ５１に玄関機カメラ２３が撮影不能な状態にあることを表示させる。
【００２２】
また、来訪者に不正操作を警告するために、不正対策処理部４３は、例えば図３に示すように、「カメラが隠されていることを検知したため、管理室親機を呼び出しています」等の警告メッセージを集合玄関機２のモニタ２１に表示させる。さらに、集合玄関機２を不正に操作している来訪者の映像を残すために、不正対策処理部４３は、その不正操作を検出した時点で、図４に示すように、エントランスカメラ３が撮影した映像３１を管理室親機５の不揮発性メモリ５４に録画させるための処理を実行する。
【００２３】
ところで、警告メッセージを見た来訪者が集合玄関機２の終話ボタン２６を押下し、呼出および通話を強制終了させた場合には、不正対策処理部４３が、玄関機通話部２２をＯＦＦにし、玄関機モニタ２１に待ち受け画面を表示させ、集合玄関機２が終話状態になったかのように見せて、玄関機カメラ２３を継続的に動作させる。そして、来訪者が立ち去ろうとしてカメラ２３から手を離す瞬間の映像データの変化量またはカメラパラメータの変化量に基づいて、カメラ２３が遮蔽状態でなくなったことを判断し、録画データの取得先をエントランスカメラ３から玄関機カメラ２３に切り替え、立ち去る際の来訪者の様子をカメラ２３で撮影し、管理室親機５の不揮発性メモリ５４に録画する。
【００２４】
なお、図５（ａ）は、玄関機カメラ２３が遮蔽状態にあるときに、管理室モニタ５１に表示される映像２９を示し、この映像から管理人は集合玄関機２の異常を察知することができる。図５（ｂ）は、玄関機カメラ２３の遮蔽状態が解除された直後に、管理室モニタ５１に表示および録画される映像２９を示し、この映像を電子回覧板等に掲載して、集合住宅内の各居室親機６に表示させることができる。
【００２５】
したがって、この実施形態の集合住宅用インターホンシステム１によれば、来訪者が玄関機カメラ２３を隠した状態で呼出ボタン２５を押した場合に、制御機４により呼出信号が居室親機６ではなく管理室親機５に転送されるので、不正操作による居住者の呼び出しを無効にし、不審者に留守確認させないようにすることができる。しかも、不正操作を検出したときに、玄関機モニタ２１に警告メッセージが表示されるため、不審者に留守確認を断念させ、空き巣狙いの犯行を未然に防止することもできる。
【００２６】
また、集合玄関機ＣＰＵ２４の不正操作検出部２８は、映像データまたはカメラパラメータの急激な変化に基づいて来訪者の不正操作を検出するため、人物検知や顔検知と比較してより低速で安価なＣＰＵを使用できるうえ、映像の明度に基づいて検知する場合とは異なり、夜間に誤検出するおそれがなく、カメラ２３を隠す手指の隙間から光が入った場合でも、不正操作を的確に検出することができる。
【００２７】
なお、本発明は、上記実施形態に限定されるものではなく、例えば、エントランスカメラ３が常時撮影している映像データに基づいて来訪者の不正操作を検出したり、管理室親機５のＣＰＵ５３を不正操作検出部２８および不正対策処理部４３として機能させたりすることもできる。その他、本発明の趣旨を逸脱しない範囲で、各部の構成を任意に変更して実施することも可能である。
【符号の説明】
【００２８】
１    集合住宅用インターホンシステム
２    集合玄関機
３    エントランスカメラ
４    制御機
５    管理室親機
６    居室親機
２１    玄関機モニタ
２２    玄関機通話部
２３    玄関機カメラ
２４    玄関機ＣＰＵ
２５    呼出ボタン
２６    終話ボタン
２８    不正操作検出部
４１    制御機ＣＰＵ
４３    不正対策処理部
５１    管理室モニタ
５３    管理室ＣＰＵ
５４    不揮発性メモリ
【図１】
2018085588.tif 000003
【図２】
2018085588.tif 000004
【図３】
2018085588.tif 000005
【図４】
2018085588.tif 000006
【図５】
2018085588.tif 000007